(57)【特許請求の範囲】
【請求項１】
紙基材の少なくとも片面に、香料を内包した高分子物質でなるマイクロカプセル層を設けたことを特徴とする偽造防止用紙の製造方法であって、
紙基材上にマイクロカプセル層を形成した後、断裁する部分を熱融着加工し、断裁加工を行うことを特徴とする偽造防止用紙の製造方法。
【請求項２】
香料を内包した高分子物質でなるマイクカプセルを、紙基材に漉き込んでなることを特徴とする偽造防止用紙の製造方法であって、
紙基材上にマイクロカプセル層を形成した後、断裁する部分を熱融着加工し、断裁加工を行うことを特徴とする偽造防止用紙の製造方法。
【請求項３】
さらに有価証券類の印刷を施すことを特徴とする請求項１または２に記載の偽造防止用紙の製造方法。
【発明の詳細な説明】
【０００１】
【発明の属する技術分野】
本発明は、商品券、宝くじ、入場券等の紙からなる有価証券顆の偽造防止に関するもので、さらに詳しくは、電子複写機による偽造や宝くじ等の番号改ざん行為が極めて困難である偽造防止策を施した用紙およびこの用紙を用いた印刷物に関する。
【０００２】
【従来の技術】
現在、紙は紙幣をはじめ、株券、債券、商品券、宝くじ等、金銭的価値を有する有価証券として幅広く使用されている。それら有価証券用紙は容易に偽造または変造出来ない様に、紙自身に透かしを施したり、あるいはマイクロ文字や凹版印刷、隠し文字、蛍光印刷等の特殊な印刷を施したり、金属光沢を有する箔やホログラム箔等を転写またはシールで施してあるのが一般的である。
【０００３】
これらの有価証券顆が偽造される場合は、主に印刷による方法と電子複写機による方法があるが、今日では電子複写機の解像度が格段に良くなり、電子複写機さえあれば簡単に本物と見分けがつかないくらい正確に複写できることから、電子複写機による偽造が増加している。この場合には、マイクロ文字や隠し文字といったパターン印刷法では、オリジナルとコピーを見分けることが困難になっている。
【０００４】
さらに、電子複写機や通常の印刷による偽造に対しては、紙自身の偽造防止策として黒透かしや白透かしといった透かし技術が、真偽判定が簡単で偽造防止効果が高いとして多くの有価証券類において現在でも使用されている。
【０００５】
【発明が解決しようとする課題】
しかし、電子複写機による精巧な偽造品に対し、黒透かしや白透かしでは暗い場所等の環境条件のもとでは真偽判定が正確に行えないことがあり、偽造された有価証券類が使用されてしまうという問題点があった。
【０００６】
また、有価証券類用紙の偽造が不可能でも、くじ券等の番号を他の券から切り取り、切り貼りする改竄という不正行為が避けられないという問題があった。
【０００７】
本発明は、かかる従来技術の問題点を解決するものであり、その課題とするところは、真偽判定が簡単確実にでき、かつ印刷技術や電子複写機による偽造や切り貼りによる番号改竄を不可能にする偽造防止用紙およびそれを用いた印刷物を提供することにある。
【０００８】
【課題を解決するための手段】
本発明において上記課題を達成するために、まず請求項１の発明では、紙基材の少なくとも片面に、香料を内包した高分子物質でなるマイクロカプセル層を設けたことを特徴とする偽造防止用紙の製造方法であって、紙基材上にマイクロカプセル層を形成した後、断裁する部分を熱融着加工し、断裁加工を行うことを特徴とする偽造防止用紙の製造方法である。
【０００９】
また、請求項２の発明では、香料を内包した高分子物質でなるマイクカプセルを、紙基材に漉き込んでなることを特徴とする偽造防止用紙の製造方法であって、紙基材上にマイクロカプセル層を形成した後、断裁する部分を熱融着加工し、断裁加工を行うことを特徴とする偽造防止用紙の製造方法である。
【００１０】
また、請求項３の発明では、さらに有価証券類の印刷を施すことを特徴とする請求項１または２に記載の偽造防止用紙の製造方法である。
【００１１】
マイクロカプセルの断面形状は一般的に円形であるが、楕円、長方形等のどのような形をしていても良く、香料を内包できる形状であれば満足する。
【００１２】
偽造防止用紙をカッター等で傷つけるとマイクロカプセルが壊され、内包されている香料が発散することで目視しなくとも真贋の判定ができることを、本発明は利用している。
【００１３】
【発明の実施の形態】
以下本発明の実施の形態を説明する。
本発明の偽造防止用紙（１）は、まず、図１に示すように、紙からなる基材（３）に香料を内包した高分子物質からなるマイクロカプセル（２）をインキ化しコーティングして積層させたものである。このようにインキ化してコーティングすることで、インキのバインダー樹脂によって強く紙基材に接着し脱落することがなくなる。
【００１４】
また、本発明の偽造防止用紙（１）は、図２に示すように、紙からなる基材（３）に、香料を内包した高分子物質からなるマイクロカプセル（２）を接着層（４）を介して脱落しない程度に貼りつけたものであっても良い。
【００１５】
また、本発明の他の偽造防止用紙（１）は、図３に示すように紙を漉き込むときに、パルプと一緒に香料を内包したマイクロカプセルを懸濁しパルプのなかに分散させたものである。
【００１６】
以上のような構成の偽造防止用紙（１）において、この用紙の一部をカッター等で切断するとマイクロカプセルも同時に切断、破壊され、内包されている香料が外部に漏れ出して臭気が発生するので、用紙の真偽判定が容易となる。
【００１７】
また、上記の偽造防止用紙（１）を使用したくじ券等において、券の表面層を切り取った番号数字部に、他の同種のくじ券の数字番号部の表面層を切り取り、はめ込むという切り貼り改竄行為では、切り口から香料が漏れ出し、偽造防止用紙に臭いが付くため、改竄行為によるこの偽造券は、はめ込み部分からの臭いによって偽造を認知することができ、よって改竄行為を不可能にする効果を有するものである。
【００１８】
以下本発明の偽造防止用紙（１）に係わる材料や積層法等について詳細に説明する。
本発明の用紙の原料となるパルプ繊維としては、針葉樹や広葉樹の木材パルプ、イネ、エスパルト、バガス、麻、亜肺、ケナフ、カンナビス等の植物繊維、またはポリエチレンテレフタレート、ポリプロピレン、ポリアクリレート、ポリ塩化ビニル等のプラスチックから作られた合成繊維等が用いられる。
【００１９】
用紙は、原料である前記のパルプ繊維を水中にて叩解し、漉いて絡ませた後、脱水・乾燥させて作られる。このとき、紙は原料であるセルロースの水酸基間の水素結合により繊維間強度が得られる。
また、紙に用いるてん料としてはクレイ、タルク、炭酸カルシウム、二酸化チタン等があり、サイズ剤としてはロジン、アルキル・ケテン・ダイマー、無水ステアリン酸、アルケニル無水こはく酸、ワックス等があり、紙力増強剤には変性デンプン、ポリビニルアルコール、ポリアクリルアミド、尿素−ホルムアルデヒド、メラミンーホルムアルデヒド、ポリエチレンイミン等があり、これらの材料をそれぞれ抄紙時に加え、主として長綱抄紙機で抄造する。
【００２０】
抄紙方法は通常の植物繊維紙の製造に用いられる方法でよく、原料濃度を０．５〜１０％、好ましくは１〜２％の水希薄原料で十分に膨潤させた繊維をよく混練し、スダレ・綱目状のワイヤーなどに流して並べて搾水後、加温により水分を蒸発させて作られる。
【００２１】
また、植物繊維以外の例えば合成繊維を混入した紙の場合は、合成繊維間に水素結合等の結合力を持たないため結着剤を必要とすることが多いので、合成繊維比率と結着剤量は、紙の強度を落とさない程度に適宜決める。
【００２２】
香料としては、食品や洗剤、薬品、香水等に使用されている公知のものの中から適宜選択し使用できる。例えば、樟脳香を有する化合物としては、アセチルー１，１−ジメチルシクロヘキサノールー３、第３アミルアルコール、３−臭化−１，１−ジメチルシクロヘキサン、第３ブチルアルコール、第３ブチルメチルカルビノール、第３ブチルメチルエーテル、３−クロルー２，２，３一トリメチルブタン、シクロデカノン、シクロヘキサノール、１−エチルシクロヘキサノールー１、１−エチルシクロペンタノールー１、エチルシリコントリエトキシド、ヘキサクロルエタン、ヘキサメチルエタン、トメチルシクロヘキサノールー１、メチルシクロヘキシルカルビノール、メチルシクロヘキシルケトン、メチルシクロプロピルケトン、１−メチルヘキサヒドロアセトフェノン、メチルイソブチルケトン、１，１，１，２−テトラブロムフルオロエタン、１，２，２，３一テトラブロムプロパン、１，１，１，２−テトラクロルジフルオロエタン、１，１，２，２−テトラメチルシクロペンタノンー３、チオリン酸二塩化ジエチルアミド、チオリン酸二塩化エチルアミド、１，１，２−トリブロムシクロブタン、２，２，３−トリブロムー３，３−ジメチルプロパン、１，１，２−トリブロムー１，２，２−トリフルオロエタン、シクロオクタン、１，３−ジブロムアダマンタン、β−ジクロルベンゼン、１，１−ジクロルー１，２−ジブロムフルオロエタン、３，３−ジメチルショウノウ、１，１ージメチルシクロヘキサノールー３、１，１−ジメチルシクロヘキサノンー３、ジメチルシクロヘキシルカルビノール、ジメチルシクロペンタメチレンシリコン、１，１−ジメチルシクロペンタノンー２、ジメチルシクロプロピルカルビノール、１，１−ジメチルー１，２−ジニトロプロパン、ジメチルイソプロピルカルビノール、３，３−ジニトロー２，２−ジメチルブタン、２，２−ジニトロー３−エチルペンタン、２，２−ジニトロペンタン、２−メチルメンテン、メチルプロピルニトロサミン、メチルβ，β，γ一トリブロムプロピルエーテル、２−ニトロカンファン、３−ニトロー２，２−ジメチルブタン、２−ニトロー２，４−ジメチルペンタン、２−ニトロソー２−メチルブタン、２−ニトロソー２−メチルプロパン、１，１，２，２，４−ペンタメチルシクロペンタノン、酢酸ペンタメチルエチル、ペンタメチルエチルアルコール、リン酸二臭化ジイソブチルアミド、リン酸二塩化ジエチルアミド、リン酸二塩化ジイソブチルアミド、１−プロピルシクロヘキサノールー１、シリコヘプチルアルコール、シリコノニルアルコール、１，１，２，２−テトラブロムクロルエタン、１，１，２，２−テトラブロムシクロブタン、１，１，２，２−テトラブロムジフルオロエタン、３，３，４−トリクロルペンタノールー２、１，１，１−トリクロルプロパノールー２、トリエチルカルビノール、１，１，２−トリメチルシクロペンタン等がある。
【００２３】
また、花香を有する化合物としては、アセトフェノン、α−ｎ−アミルシナムアルデヒド、α−アミルピリジン、アニスアルデヒド、アニソール、ベンゾフェノン、酢酸ベンジル、α−ベンジルーγ−ブチロラクトン、エトキシ酢酸ベンジル、６−ブロムー１−メチルー３−イソプロピルベンゼン、カテコールジイソプロピルケタル、クマリン、β−シクロヘキシルエチルアルコール、ジベンヂル、α，β−ジオキシブタンフェニルアセタール、α，γ−ジオキシブタンフェニルアセタール、２，４−ジオキシー４−メチルペンタンフェニルアセタール、α，β−ジオキシプロパンフェニルアセタール、１，１−ジメチルシクロヘキサン、２−メチルー６−ブロムベンゾチアゾール、メチルヘプチンカルボン酸塩、メチルヘキシルアセトアルデヒド、２−メチルー５−イソプロピルヘキサヒドロベンズアルデヒド、ノナノール、ノルヘキサヒドロファルネソール、ペンタメチルフェニルイソチオシアン酸塩、フェネトール、２−フェニルベンゾチアゾール、α−フェニルーγ−ブチロラクトン、フェニルエチルアルコール、フェニルエチルアルデヒド、メトキシ酢酸フェニルエチル、２，４−ジメチルヘプタノールー６、ジフェニルアミン、ジフェニルエーテル、ジフェニルメタン、エチルシクロヘキサン、アジピン酸水素エチル、２−フリルベンゾチアゾール、ゲラニオール、フェニルアセタールグリコール、α−ｎ−ヘキシルーγ−バレロラクトン、α−ヨノン、イロン、γ−イソブチルピリジン、メシチルイソチオシアン酸塩、４−メトキシアセトフェノン、２−メトキシー５−クロルフェニルイソチオシアン酸塩、３−メトキシー４−クロルフェニルイソチオシアン酸塩、アントラニル酸メチル、α−フェニルエチルピリジン、α一フェニルプロピルピリジン、ホロン、ピペロナール、α−プロピルピリジン、β−プロピルピリジン、２ーαーピリルベンゾチアゾール、サルチルアルデヒド、テルピネオール、ベラトール、２，６−キシリルイソチオシアン酸塩等がある。
【００２４】
マイクロカプセル（２）の構造は図４に示すように、香料（２ａ）をポリウレタン、ポリウレア、ポリエステル、ポリカーボネート、尿素−ホルムアルデヒド樹脂、メラミン樹脂、ポリスチレン、スチレンーメタクリレート供重合体、スチレンーアクリレート供重合体、ゼラチン、ポリビニルピロリドン、ポリビニルアルコール等のカプセル樹脂（２ｂ）で包み込んだものである。この内ポリウレタン、ポリウレア、ポリアミド、ポリエステル、ポリカーボネート等が望ましく、必要な場合にはこれらの高分子物質を２種類以上併用することも可能である。
【００２５】
前記の香料（２ａ）を混合する際に用いられる媒体は、油性と水性のどちらも適宜選択可能であるが、水溶性高分子であるポリビニルアルコールやゼラチン、セルロース誘導体等が好ましい。
【００２６】
前記の香料（２ａ）を内包するマイクロカプセル（２）は、本発明に係わる用紙の基紙（１）のどちらか片方の面上に、インキ化（塗液化）したインキをグラビアコート、ナイフコート、ロールコート、スプレイコート等の公知の塗布方式で塗布する、又は、接着層（４）を形成し接着させてマイクロカプセル層を設ける。
または、前記の混合抄紙法や抄き合わせ法等によって用紙の基材（３）の層中に漉き込むことにより、更なる偽造防止効果が向上する。
【００２７】
また、前記のマイクロカプセル（２）は直径が５〜５０μｍ程度のものが使用できるが、本発明の偽造防止用紙（１）に用いる場合、あまり大きいと印刷等を施す用紙としては意匠性を損なう他に、用紙の基材（３）の層中に漉き入れる場合は、抄紙も難しくなることから、１０〜２５μｍ程度が好ましい。
【００２８】
マイクロカプセル（２）を分散させ固着させるインキ化（塗液化）のバインダーの材料としては、ポリ酢酸ビニル、ポリアクリル酸エステル、エチレンー酢酸ビニル供重合体等の樹脂を用い水、アセトン、トルエン、アルコール、キシレン、メチルエチルケトン等の溶媒で用いてインキを作成する。
このマイクロカプセルが分散されたインキをグラビア印刷法、スクリーン印刷法、ロールコーティング塗工法、スプレー塗工法等の塗工法により塗布・乾燥させると図１に示すような偽造防止用紙が作製される。
【００２９】
また、マイクロカプセル（２）を接着させる接着層（４）も上記のバインダーと同様にポリ酢酸ビニル、ポリアクリル酸エステル、エチレンー酢酸ビニル供重合体等の樹脂を用い水、アセトン、トルエン、アルコール、キシレン、メチルエチルケトン等の溶媒で用いてインキを作成する。
このインキ化（塗液化）された接着剤をグラビア印刷法、スクリーン印刷法、ロールコーティング塗工法、スプレー塗工法等の塗工法により塗布し接着層（４）を形成後マイクロカプセル（２）を接着させマイクロカプセル層を設ける。
【００３０】
本発明の偽造防止策が施された偽造防止用紙（１）への印刷は、オフセット印刷法、スクリーン印刷法、グラビア印刷法、凸版印刷法、凹版印刷法等の印刷法で文字や絵柄を印刷することができる。
【００３１】
本発明の偽造防止策が施された偽造防止用紙（１）の断裁加工は、用紙に香料（２ａ）を内包したマイクロカプセル（２）層が形成され、または漉き込まれているため、断裁前に断裁部分を熱融着加工し、このとき断裁加工によって香料（２ａ）がマイクロカプセル（２）外に漏れ出し、用紙の基材（３）に触れないように注意する必要がある。
【００３２】
偽造防止策が施された偽造防止用紙（１）は、用紙の一部を切断すると、上層または漉き込まれているマイクロカプセル（２）が破断し、内包された香料（２ａ）が漏れ出し、特別な器具を用いなくとも嗅覚により確実に真偽判定ができるものである。
【００３３】
【実施例】
本発明を実施例により、さらに具体的に説明する。
（実施例１）
用紙の原料としては針葉樹パルプを用い、水中で叩解して濃度を１．５％とした後、脱水、乾燥させて用紙の基材を作製した。
香料としてムスク香気を有するムスクキシロール２ｇを１ーフェニルー１ーキシリルエタン４０ｇと酢酸エチル１５０ｇに溶解後、殻壁としてポリエステル樹脂で香料を内包した直径１５μｍのマイクロカプセルを作製した。このマイクロカプセルを２０重量％になるようにエチレンー酢酸ビニル共重合体樹脂をバインダーに用いた塗布剤を作製後、上記の用紙基材にコーティングしてマイクロカプセル層を有する偽造防止用紙原反を作製した。
しかる後、仕上がりサイズに切断する切断部分には加熱圧着を行い偽造防止用紙を得た（図１）。
【００３４】
（実施例２）
実施例１で用いた用紙の基材上に、水溶性のポリビニル系バインダーをグラビアコーティング法にて厚さ１０μｍに均一にコーティングし、接着層（４）を設けた後、実施例１で作製した香料を内包したマイクロカプセルを接着させた偽造防止原反を作製した。
しかる後、仕上がりサイズに切断する切断部分には加熱圧着を行い偽造防止用紙を得た（図２）。
【００３５】
（実施例３）
用紙の原料としては針葉樹パルプを用い、水中で叩解して濃度を１．５％とした後、実施例１と同様の香料を内包したマイクロカプセル（２）を紙層中に漉き込んで脱水、乾燥させて偽造防止用紙を得た（図３）。
【００３６】
【発明の効果】
本発明は以上の構成であるから、下記に示す如き効果がある。すなわち、紙からなる基材上に、香料を内包した高分子物質でマイクロカプセル層を設けた、或いはマイクロカプセルを基材に漉き込んでなる偽造防止用紙としたので、マイクロカプセルの切断によって香料が外部に漏れ出し、嗅覚によって真偽判定が簡単確実にでき、かつ印刷技術や電子複写機による偽造や切り貼りによる番号改ざんを不可能にする偽造防止用紙およびそれを用いた印刷物を提供することができる。
【図面の簡単な説明】
【図１】本発明の実施の形態を示す偽造防止用紙を模式的に説明するものであり、（Ａ）は平面図、（Ｂ）は構成断面図である。
【図２】他の本発明の実施の形態を示す偽造防止用紙を模式的に説明する構成断面図である。
【図３】基紙にマイクロカプセルを漉き込んだ本発明の実施の形態を示す偽造防止用紙を模式的に説明する構成断面図である。
【図４】マイクロカプセルを模式的に説明する構成断面図である。
【符号の説明】
１…偽造防止用紙      ２…マイクロカプセル      ２ａ…香料
２ｂ…殻壁            ３…紙基材                  ４…接着層
【図１】
0004366747.tif 000002
【図２】
0004366747.tif 000003
【図３】
0004366747.tif 000004
【図４】
0004366747.tif 000005